(57)【要約】【課題】２つの沈殿池しか備えないような小規模な沈殿池設備でも適用が可能で、しかも個々の沈殿池における容量に比較的余裕が無い場合でも整備工事を行うことが可能な沈殿池設備の整備工事方法を提供する。【解決手段】複数の沈殿池１、２を有する沈殿池設備において、少なくとも一部の沈殿池１、２の整備工事を行う沈殿池設備の整備工事方法であって、複数の沈殿池１、２のうち一部の整備工事対象の沈殿池２の他の残りの少なくとも一部の非整備工事対象の沈殿池１に沈降促進手段４を設置し、次いで、整備工事対象の沈殿池２への通水を沈降促進手段４が設置された非整備工事対象の沈殿池１に切り替えるとともに、整備工事対象の沈殿池２内から処理水Ｗを排水して、この整備工事対象の沈殿池２の整備工事を行う。【選択図】図４
2019081137.tif 000002
【特許請求の範囲】
【請求項１】
複数の沈殿池を有する沈殿池設備において、少なくとも一部の上記沈殿池の整備工事を行う沈殿池設備の整備工事方法であって、
上記複数の沈殿池のうち一部の整備工事対象の沈殿池の他の残りの少なくとも一部の非整備工事対象の沈殿池に沈降促進手段を設置し、
次いで、上記整備工事対象の沈殿池への通水を上記沈降促進手段が設置された非整備工事対象の沈殿池に切り替えるとともに、上記整備工事対象の沈殿池内から処理水を排水して、この整備工事対象の沈殿池の整備工事を行うことを特徴とする沈殿池設備の整備工事方法。
【請求項２】
上記整備工事対象となる沈殿池の整備工事を終了した後に、上記非整備工事対象の沈殿池から上記沈降促進手段を取り出し、
整備工事を終了した沈殿池を新たな上記非整備工事対象の沈殿池として、この新たな上記非整備工事対象の沈殿池に該沈降促進手段を設置し、
次いで、非整備工事対象であった沈殿池を新たな上記整備工事対象の沈殿池として、この新たな上記整備工事対象の沈殿池の整備工事を行うことを特徴とする請求項１に記載の沈殿池設備の整備工事方法。
【請求項３】
３つ以上の沈殿池を有する沈殿池設備において、
これら３つ以上の沈殿池のうち一部の上記整備工事対象の沈殿池の他の残りの複数の上記非整備工事対象の沈殿池のうち一部の沈殿池に上記沈降促進手段を設置し、
上記整備工事対象となる沈殿池の整備工事を終了した後に、この整備工事を終了した沈殿池と、上記沈降促進手段が設置された沈殿池とを新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うことを特徴とする請求項１に記載の沈殿池設備の整備工事方法。
【請求項４】
３つ以上の沈殿池を有する沈殿池設備において、
これら３つ以上の沈殿池のうち一部の上記整備工事対象の沈殿池の他の残りの複数の上記非整備工事対象の沈殿池のうち一部の沈殿池に上記沈降促進手段を設置し、
上記整備工事対象となる沈殿池の整備工事を終了した後に、上記複数の非整備工事対象の沈殿池のうち一部の沈殿池から上記沈降促進手段を取り出して、上記複数の非整備工事対象の沈殿池のうち残りの沈殿池に設置し、
この整備工事を終了した沈殿池と、上記沈降促進手段が設置された沈殿池を新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うことを特徴とする請求項１に記載の沈殿池設備の整備工事方法。
【請求項５】
上記沈降促進手段は、複数の傾斜板を間隔をあけて配設してユニット化した傾斜板ユニット、または複数の傾斜管を配設してユニット化した傾斜管ユニットであることを特徴とする請求項１から請求項４のうちいずれか一項に記載の沈殿池設備の整備工事方法。
【請求項６】
上記複数の傾斜板または上記複数の傾斜管を、上記非整備工事対象の沈殿池の外で組み立ててユニット化した後に、上記非整備工事対象の沈殿池に設置することを特徴とする請求項５に記載の沈殿池設備の整備工事方法。
【発明の詳細な説明】
【技術分野】
【０００１】
本発明は、複数の沈殿池を有する特に小規模の沈殿池設備において、この沈殿池の整備工事を行う沈殿池設備の整備工事方法に関するものである。
【背景技術】
【０００２】
沈殿池に汚泥掻寄機や傾斜板、傾斜管等の機器が設置されていない既設の沈殿池設備の整備工事において、これらの機器を新たに設置しようとする場合や、これらの機器の更新や補修を行う場合、あるいは沈殿池本体の補修を行う場合には、対象となる沈殿池内から処理水を排水して整備工事を行う必要があり、整備工事中は対象となる沈殿池での処理ができなくなるため沈殿池設備の処理量が減少する。このような処理量の減少分を補うためには、整備工事期間中に代替えの濾過設備を設置する等の必要があり、代替えの濾過設備自体の設置やその設置スペースの確保のために整備工事期間の長期化や整備工事コストの増大を招くことになる。
【０００３】
そこで、例えば特許文献１には、このような沈殿池設備の整備工事方法として、導水渠の原水の流れ方向に沿ってその導水渠に隣接して多数の池を配置して構成される沈殿池の補修工事方法であって、上記多数の池のうち、補修工事対象の池に対応した導水渠の上流側及び下流側にその導水渠の水流を閉止する仮止水壁をそれぞれ設置した後、それら仮止水壁間の導水渠内及びその補修工事対象の池から水を抜き、次いで、それら仮止水壁間に設けられた連絡管を開通させてその補修工事対象の池の下流側に位置する池に原水を供給しながら補修工事を行うことが記載されている。
【先行技術文献】
【特許文献】
【０００４】
【特許文献１】特許第５９６１４８９号公報
【発明の概要】
【発明が解決しようとする課題】
【０００５】
しかしながら、この特許文献１に記載された整備工事方法は、まず補修対象工事の沈殿池の他に、その上流側および下流側の２つの沈殿池を有する少なくとも３つの沈殿池を備えた沈殿池設備にしか適用することができず、沈殿池を２つしか備えない１日の処理水量が例えば２万トン程度の小規模な沈殿池設備では適用することができない。しかも、各沈殿池の容量が等しい場合には、整備工事期間中は上流側と下流側の沈殿池に通常の１．５倍の処理水が通水されることになり、これらの沈殿池において沈殿効率や処理量が変わることはないので、これら上流側と下流側の沈殿池にもある程度余裕のある容量が必要とされる。
【０００６】
本発明は、このような背景の下になされたもので、２つの沈殿池しか備えないような小規模な沈殿池設備でも適用が可能で、しかも個々の沈殿池における容量に比較的余裕が無い場合でも整備工事を行うことが可能な沈殿池設備の整備工事方法を提供することを目的としている。
【課題を解決するための手段】
【０００７】
上記課題を解決して、このような目的を達成するために、本発明は、複数の沈殿池を有する沈殿池設備において、少なくとも一部の上記沈殿池の整備工事を行う沈殿池設備の整備工事方法であって、上記複数の沈殿池のうち一部の整備工事対象の沈殿池の他の残りの少なくとも一部の非整備工事対象の沈殿池に沈降促進手段を設置し、次いで、上記整備工事対象の沈殿池への通水を上記非整備工事対象の沈殿池に切り替えるとともに、上記整備工事対象の沈殿池内から処理水を排水して、この整備工事対象の沈殿池の整備工事を行うことを特徴とする。
【０００８】
このような沈殿池設備の整備工事方法においては、上記複数の沈殿池のうち一部の整備工事対象の沈殿池の他の残りの少なくとも一部の非整備工事対象の沈殿池に沈降促進手段を設置し、この非整備工事対象の沈殿池における汚泥等の沈殿を促進させて沈殿効率を向上させ、処理量を増加させることにより、たとえ沈殿池を２つしか備えない小規模な沈殿池設備や個々の沈殿池の容量に余裕が無い沈殿池設備において、１つの沈殿池への通水を停止して他の１つの沈殿池への通水に切り替え、この１つの沈殿池の処理水を排水して整備工事を行っても、沈降促進手段を設置した残りの１つの沈殿池によって処理量の減少分の一部を補うことで、処理量を極力減らさずに整備工事を行うことができる。
【０００９】
従って、既設の沈殿池設備に汚泥掻寄機や傾斜板、傾斜管等の機器を新たに設置する整備工事を行う場合や、予め設置されていたこれらの機器の更新や補修、あるいは沈殿池の本体の補修等の整備工事を行う場合でも、整備工事期間中に代替えの濾過設備を設置する必要が無くなって、このような代替えの濾過設備の設置スペースを確保する必要も無くなり、整備工事期間を短縮させることができるとともに整備工事コストも削減することが可能となる。
【００１０】
ここで、上述のような複数の沈殿池を有する沈殿池設備では、上記整備工事対象となる沈殿池の整備工事を終了した後に、上記非整備工事対象の沈殿池から上記沈降促進手段を取り出し、整備工事を終了した沈殿池を新たな上記非整備工事対象の沈殿池として、この新たな上記非整備工事対象の沈殿池に該沈降促進手段を設置し、次いで、非整備工事対象であった沈殿池を新たな整備工事対象の沈殿池として、この新たな整備工事対象の沈殿池への通水を上記新たな非整備工事対象の沈殿池に切り替えるとともに、上記新たな整備工事対象の沈殿池内から処理水を排水して、この新たな整備工事対象の沈殿池の整備工事を行うようにしてもよい。
【００１１】
これにより、先に整備工事を行った際に非整備工事対象の沈殿池に設置された沈降促進手段を、整備工事が終了した新たな非整備工事対象の沈殿池に設置して、先の非整備工事対象の沈殿池の整備工事を行うことができ、例えば１つの沈降促進手段を用いることにより、処理量を極力減らさずに複数の沈殿池で順次整備工事を行うことができるので、効率的である。
【００１２】
また、３つ以上の沈殿池を有する沈殿池設備においては、これら３つ以上の沈殿池のうち一部の上記整備工事対象の沈殿池の他の残りの複数の上記非整備工事対象の沈殿池のうち一部の沈殿池に上記沈降促進手段を設置し、上記整備工事対象となる沈殿池の整備工事を終了した後に、この整備工事を終了した沈殿池と、上記沈降促進手段が設置された沈殿池とを新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うようにしてもよい。
【００１３】
さらに、同じく３つ以上の沈殿池を有する沈殿池設備においては、これら３つ以上の沈殿池のうち一部の上記整備工事対象の沈殿池の他の残りの複数の上記非整備工事対象の沈殿池のうち一部の沈殿池に上記沈降促進手段を設置し、上記整備工事対象となる沈殿池の整備工事を終了した後に、上記複数の非整備工事対象の沈殿池のうち一部の沈殿池から上記沈降促進手段を取り出して、上記複数の非整備工事対象の沈殿池のうち残りの沈殿池に設置し、この整備工事を終了した沈殿池と、上記沈降促進手段が設置された沈殿池を新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うようにしてもよい。
【００１４】
なお、上記沈降促進手段としては、複数の傾斜板を間隔をあけて配設してユニット化した傾斜板ユニット、または複数の傾斜管を配設してユニット化した傾斜管ユニットを用いることができる。このような傾斜板ユニットまたは傾斜管ユニットでは、複数の傾斜板の間または傾斜管内に流入した処理水中の汚泥等が傾斜板または傾斜管に接触することによって沈降分離が促進されて緩やかに沈殿池の底に堆積させられるので、汚泥等の沈降の効率化を図ることが可能となる。
【００１５】
また、こうして沈降促進手段として傾斜板ユニットまたは傾斜管ユニットを用いる場合には、上記複数の傾斜板または上記複数の傾斜管を、上記非整備工事対象の沈殿池の外で組み立ててユニット化した後に、該非整備工事対象の沈殿池に設置することが望ましい。傾斜板ユニットまたは傾斜管ユニットを非整備工事対象の沈殿池内で組み立ててユニット化する場合には、組み立て作業が繁雑となったり、非整備工事対象の沈殿池内の処理水を一旦排水したりしなければならず、整備工事期間が長引いたり処理量の減少を招いたりするおそれがあるが、非整備工事対象の沈殿池の外で組み付けてユニット化したものを設置すれば、組み立てが容易で非整備工事対象の沈殿池の処理水を排水する必要もなくなり、一層効率的である。
【発明の効果】
【００１６】
以上説明したように、本発明によれば、小規模で個々の沈殿池の容量に余裕が無い沈殿池設備において整備工事を行う場合でも、代替えの濾過設備やその設置スペースを不要とすることができ、整備工事期間を短縮させるとともに整備工事コストの削減を図ることが可能となる。
【図面の簡単な説明】
【００１７】
【図１】本発明の沈殿池設備の整備工事方法の一実施形態において通常運転時の沈殿池設備を示す平面図である。
【図２】図１に示す状態から、一方の沈殿池に沈降促進手段を設置した状態を示す平面図である。
【図３】図２に示す状態から、他方の沈殿池への通水を停止して一方の沈殿池に切り替え、他方の沈殿池の処理水を排水し、既設の汚泥掻寄機を撤去した状態を示す平面図である。
【図４】図３に示す状態から、他方の沈殿池に新規の汚泥掻寄機を設置した状態を示す平面図である。
【図５】図４に示す状態から、一方の沈殿池の沈降促進手段を取り出して他方の沈殿池に設置した状態を示す平面図である。
【図６】図５に示す状態から、他方の沈殿池に処理水を通水して沈殿処理を行う状態を示す平面図である。
【図７】図６に示す状態から、一方の沈殿池への通水を停止して他方の沈殿池に切り替え、一方の沈殿池の処理水を排水し、既設の汚泥掻寄機を撤去した状態を示す平面図である。
【図８】図７に示す状態から、一方の沈殿池に新規の汚泥掻寄機を設置した状態を示す平面図である。
【図９】図８に示す状態から、一方の沈殿池に処理水を通水して沈殿処理を行う状態を示す平面図である。
【図１０】図９に示す状態から、他方の沈殿池の沈降促進手段を取り出した状態を示す平面図である。
【図１１】沈降促進手段として傾斜板ユニットを組み立てる際に、架台治具を組み立てた状態を示す図である。
【図１２】図１１に示す架台治具に支持桁を裁置した状態を示す図である。
【図１３】図１２に示す支持桁に支持フレームを取り付けた状態を示す図である。
【図１４】図１３に示す支持フレームに傾斜板を取り付けて傾斜板ユニットを組み立てた状態を示す図である。
【図１５】図１４に示す傾斜板ユニットを架台治具から取り出した状態を示す図である。
【図１６】図１５に示す傾斜板ユニットを沈殿池に設置する状態を示す図である。
【発明を実施するための形態】
【００１８】
図１ないし図１６は、本発明の沈殿池設備の整備工事方法の一実施形態を説明するものである。本実施形態は、複数（２つ）の沈殿池１、２を有する沈殿池設備、例えば浄水場または下水処理場の凝集沈殿池設備において、これらの沈殿池１、２に設置された図示されていない既設の汚泥掻寄機を新規の汚泥掻寄機３に更新（交換）する整備工事を行うものである。図１は、この沈殿池設備が通常運転している状態を示すものであって、平面視に並列に配置された沈殿池１、２には処理水Ｗが通水され、汚泥等が沈降した処理水Ｗが排水される。
【００１９】
まず、これらの沈殿池１、２のうち一方の沈殿池１を非整備工事対象の沈殿池とするとともに、他方の沈殿池２を整備工事対象の沈殿池として、この他方の沈殿池２の整備工事を行う場合は、一方の沈殿池１に処理水Ｗを通水した状態のまま、この一方の沈殿池１に図２に示すように沈降促進手段４を設置する。この沈降促進手段４は、通水された処理水Ｗ中の汚泥等の懸濁物の沈降を促進するものであって、具体的に本実施形態では複数の傾斜板を間隔をあけて配設してユニット化した傾斜板ユニット、または複数の傾斜管を配設してユニット化した傾斜管ユニットである。
【００２０】
このような傾斜板ユニットまたは傾斜管ユニットよりなる沈降促進手段４では、処理水Ｗが複数の傾斜板の間や傾斜管内に流入した処理水Ｗ中の汚泥等の懸濁物が傾斜板または傾斜管に接触することによって沈降分離が促進されて緩やかに沈殿池の底に堆積させられるので、汚泥等の沈降を効率化することが可能となる。本実施形態では、この沈降促進手段４は特に傾斜板ユニットであって、沈殿池１、２に挿脱可能に仮設で設置される。この沈降促進手段４について、詳しくは後述する。
【００２１】
このように沈降促進手段４を設置することにより、一方の沈殿池１の沈殿効率は向上して処理量の増加が図られるので、次に図３に示すように他方の沈殿池２への処理水の通水を一方の沈殿池１に切り替えるとともに、他方の沈殿池２の処理水Ｗを排水して他方の沈殿池２を空にし、さらに既設の汚泥掻寄機を撤去する。しかる後、図４に示すように他方の沈殿池２に新規の汚泥掻寄機３を設置することにより、この他方の沈殿池２における整備工事が終了する。
【００２２】
続けて、上記他方の沈殿池２を新たな非整備工事対象の沈殿池とするとともに、一方の沈殿池１を新たな整備工事対象の沈殿池として、この一方の沈殿池１の整備工事を行う場合には、まず図５に示すように一方の沈殿池１から沈降促進手段４を取り出して他方の沈殿池２に設置するとともに、図６に示すように双方の沈殿池１、２への通水を再開し、さらに図７に示すように一方の沈殿池１への通水を他方の沈殿池２に切り替えて一方の沈殿池１の処理水Ｗを排水し、既設の汚泥掻寄機を撤去する。なお、双方の沈殿池１、２への通水を再開してから沈降促進手段４を一方の沈殿池１から取り出して他方の沈殿池２に設置し、しかる後に一方の沈殿池１への通水を他方の沈殿池２に切り替えてもよい。
【００２３】
そして、図８に示すように一方の沈殿池に新規の汚泥掻寄機３を設置してから、図９に示すように他方の沈殿池２に切り替えられていた処理水Ｗの通水を一方の沈殿池１に戻して双方の沈殿池１、２への通常の通水を再開する。しかる後、図１０に示すように一方の沈殿池１から沈降促進手段４を取り出すことにより、一方の沈殿池１における整備工事が終了し、双方の沈殿池１、２における汚泥掻寄機３が新規のものに更新される。
【００２４】
このように、上記構成の沈殿池設備の整備工事方法においては、まず初めに複数の沈殿池１、２のうち一部の整備工事対象の沈殿池（他方の沈殿池２）の他の残りの少なくとも一部の非整備工事対象の沈殿池（一方の沈殿池１）に沈降促進手段４を設置し、この非整備工事対象の沈殿池における汚泥等の懸濁物の沈殿を促進させて沈殿効率を向上させ、処理量を増加させている。このため、整備工事対象の他方の沈殿池２への処理水Ｗの通水を停止して非整備工事対象の一方の沈殿池１に切り替えても、この一方の沈殿池１において汚泥等の懸濁物の沈降処理を十分に行うことができ、処理量の減少分の一部を補うことが可能となる。
【００２５】
従って、上記実施形態のように２つの沈殿池１、２しか備えない沈殿池設備や、個々の沈殿池１、２の容量にそれほど余裕が無い沈殿池設備においても、上述のような汚泥掻寄機３の更新や補修、または元々汚泥掻寄機がなかった沈殿池への汚泥掻寄機３の新設、あるいは沈殿池１、２の本体の補修などを、代替えの濾過設備を設置したり、このような代替えの濾過設備の設置スペースを確保したりすることなく、沈殿池設備の処理量を極力減らさずに行うことができる。このため、整備工事期間が長引くのを防ぐとともに、整備工事コストの削減を図ることが可能となる。
【００２６】
また、上記実施形態では、汚泥掻寄機３を更新する場合について説明したが、例えば沈殿池１、２に傾斜板や傾斜管を新設する場合や、既設の傾斜板や傾斜管を更新または増設する場合に本発明を適用することも可能である。傾斜板や傾斜管を新設または増設する場合は、初めに一方の沈殿池１に沈降促進手段４を仮設してから他方の沈殿池２を空にして傾斜板や傾斜管を新設または増設することにより、この他方の沈殿池２の沈殿効率および処理量が向上するので、初めに一方の沈殿池１に仮設した沈降促進手段４を他方の沈殿池２に移す必要は無くなる。なお、傾斜板や傾斜管を増設する場合のように、沈殿池１、２に増設用の空きスペースがある場合は、初めに一方の沈殿池１に沈降促進手段４を仮設するときはこの空きスペースに仮設すればよい。
【００２７】
さらに、本実施形態では上述のように、整備工事対象であった他方の沈殿池２における整備工事が終了した後に、非整備工事対象であった一方の沈殿池１から仮設した沈降促進手段４を取り出して他方の沈殿池２に設置し、この他方の沈殿池２を新たな非整備工事対象の沈殿池とするとともに、一方の沈殿池１を新たな整備工事対象の沈殿池として汚泥掻寄機３の更新等の整備工事を行うようにしている。このため、１つの沈降促進手段４を用いるだけで、複数の沈殿池１、２の整備工事を順次行うことが可能となり、効率的かつ経済的である。
【００２８】
なお、このような沈降促進手段４として、本実施形態では、複数の傾斜板を間隔をあけて配設してユニット化した傾斜板ユニット、または複数の傾斜管を配設してユニット化した傾斜管ユニットを用いている。このような傾斜板ユニットまたは傾斜管ユニットは、上述したように処理水Ｗ中の汚泥等の懸濁物の沈降分離が促進されて沈殿効率を向上させることができ、またユニット化することも容易であるので、特に本実施形態のように一方の沈殿池１に仮設して他方の沈殿池２の整備工事を行った後に他方の沈殿池２に移して仮設する沈降促進手段４として用いるのが好適である。
【００２９】
また、このように沈降促進手段４として傾斜板ユニットまたは傾斜管ユニットを用いる場合に、本実施形態では、上記複数の傾斜板または上記複数の傾斜管を、初めに非整備工事対象の沈殿池となる一方の沈殿池１の外で組み立ててユニット化した後に、この一方の沈殿池１に仮設する。本実施形態では、上述のように沈降促進手段４として傾斜板ユニットを用いており、以下にこの傾斜板ユニットの組み立て方法および仮設方法について説明する。
【００３０】
まず、一方の沈殿池１の外の例えば沈殿池設備の床面等の上で、図１１に示すような横長直方体フレーム状の架台治具１１を組み立てる。次いで、図１２に示すように、この架台治具１１の上部の短辺方向に延びる２つの短辺枠１１ａの間に、長辺方向に延びる鋼製の支持桁１２を掛け渡すようにして短辺方向に等間隔に複数裁置する。さらに、図１３に示すように、これらの支持桁１２の下に網棚状の支持フレーム１３を吊り下げるように取り付けるとともに、この支持フレーム１３によって複数の支持桁１２を上記短辺方向に連結する。
【００３１】
そして、図１４に示すように、この支持フレーム１３がなす網棚の間に複数の傾斜板１４を間隔をあけて取り付けることによりユニット化し、沈降促進手段４（傾斜板ユニット）を形成する。本実施形態では、支持フレーム１３の上段と下段にそれぞれ同じ方向に傾いた複数（多数）の傾斜板１４が上記長辺方向に等間隔に取り付けられており、また上段と下段では傾斜板１４の傾きの方向は反対となっている。
【００３２】
こうして沈降促進手段４が形成されたなら、図１５に示すように沈降促進手段４を吊り上げて架台治具１１から取り外し、一方の沈殿池１上に移送して、図１６に示すように一方の沈殿池１の互いに対向する壁面１ａの上部に水平に延びるように形成された突条部１ｂに支持桁１２の両端部を載置して支持することにより、上下段の傾斜板１４が一方の沈殿池１内の処理水Ｗに浸漬されるようにして沈降促進手段４を仮設する。
【００３３】
このように、本実施形態においては、初めに非整備工事対象の沈殿池となる一方の沈殿池１の外で沈降促進手段４（傾斜板ユニット）を組み立ててユニット化し、これを一方の沈殿池１に仮設して沈殿効率の向上と処理量の増加を図っている。このため、一方の沈殿池１内で沈降促進手段４を組み立てる場合のように、組み立て作業が繁雑となったり、一方の沈殿池１内の処理水Ｗを一旦排水してから組み立てを行う必要が生じたりすることがない。
【００３４】
従って、一方の沈殿池１内の処理水Ｗを一旦排水する場合のように、整備工事期間が長引いたり処理量の大幅な減少を招いたりすることなく、一層確実に短い整備工事期間で沈殿池設備の処理量を極力減らさずに整備工事を行うことができるとともに、沈降促進手段４の組み立ても容易である。なお、非整備工事対象の沈殿池となる一方の沈殿池１の外であれば、沈殿池設備の床面等の上以外でも、例えば工場で予め組み立ててユニット化した沈降促進手段４を沈殿池設備に輸送し、非整備工事対象の沈殿池となる一方の沈殿池１に仮設して設置してもよい。
【００３５】
また、本実施形態では、２つの沈殿池１、２を備えた沈殿池設備に本発明を適用した場合について説明したが、３つ以上の沈殿池を有する沈殿池設備に適用することも勿論可能である。この場合には、１つの沈殿池を整備工事対象の沈殿池とするとともに、残りの沈殿池のうち１つの沈殿池を非整備工事対象の沈殿池として１つの沈降促進手段４を設置して、これら以外の沈殿池では通常運転を行い、上記整備工事対象の沈殿池と非整備工事対象の沈殿池の間で整備工事が終了した後に、これら以外の沈殿池を整備工事対象の沈殿池として整備工事を行ってもよい。
【００３６】
例えば、３つの沈殿池Ａ、Ｂ、Ｃを有する沈殿池設備において、最初に沈殿池Ａに沈降促進手段４を設置し、沈殿池Ｂへの通水を沈殿池Ａに切り替えるとともに沈殿池Ｂ内の処理水を排水して沈殿池Ｂの整備工事を行い、沈殿池Ｂの整備工事が終了した後は、沈殿池Ｃへの通水を沈殿池Ａに切り替えるとともに沈殿池Ｃ内の処理水を排水して沈殿池Ｃの整備工事を行い、さらに沈殿池Ｃの整備工事が終了した後は、沈降促進手段４を沈殿池Ａから取り出して沈殿池Ｂ、Ｃのいずれか一方に設置した上で、沈殿池Ａへの通水を沈降促進手段４が設置された沈殿池Ｂ、Ｃのいずれか一方に切り替えるとともに沈殿池Ａ内の処理水を排水して沈殿池Ａの整備工事を行うようにしてもよい。
【００３７】
また、同じく３つの沈殿池Ａ、Ｂ、Ｃを有する沈殿池設備においては、最初に沈殿池Ａに沈降促進手段４を設置し、沈殿池Ｂへの通水を沈殿池Ａに切り替えるとともに沈殿池Ｂ内の処理水を排水して沈殿池Ｂの整備工事を行い、沈殿池Ｂの整備工事が終了した後は、沈殿池Ａに設置した沈降促進手段４を取り出して沈殿池Ｃに設置し、沈殿池Ａへの通水を沈殿池Ｃに切り替えるとともに沈殿池Ａ内の処理水を排水して沈殿池Ａの整備工事を行い、さらに沈殿池Ａの整備工事が終了した後は、沈降促進手段４を沈殿池Ｃから取り出して沈殿池Ａ、Ｂのいずれか一方に設置した上で、沈殿池Ｃへの通水を沈降促進手段４が設置された沈殿池Ａ、Ｂのいずれか一方に切り替えるとともに沈殿池Ｃ内の処理水を排水して沈殿池Ｃの整備工事を行うようにしてもよい。さらに、複数の沈降促進手段４を用意して、複数組の沈殿池の間で同時に並行して沈降促進手段４の設置と整備工事を行うようにしてもよい。
【符号の説明】
【００３８】
１、２  沈殿池
３  汚泥掻寄機
４  沈降促進手段
１１  架台治具
１２  支持桁
１３  支持フレーム
１４  傾斜板
Ｗ  処理水
【図１】
2019081137.tif 000003
【図２】
2019081137.tif 000004
【図３】
2019081137.tif 000005
【図４】
2019081137.tif 000006
【図５】
2019081137.tif 000007
【図６】
2019081137.tif 000008
【図７】
2019081137.tif 000009
【図８】
2019081137.tif 000010
【図９】
2019081137.tif 000011
【図１０】
2019081137.tif 000012
【図１１】
2019081137.tif 000013
【図１２】
2019081137.tif 000014
【図１３】
2019081137.tif 000015
【図１４】
2019081137.tif 000016
【図１５】
2019081137.tif 000017
【図１６】
2019081137.tif 000018
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
複数の沈殿池を有する沈殿池設備において、少なくとも一部の上記沈殿池の整備工事を行う沈殿池設備の整備工事方法であって、
上記複数の沈殿池のうち一部の整備工事対象の沈殿池の他の残りの少なくとも一部の非整備工事対象の沈殿池に、複数の傾斜板を間隔をあけて配設してユニット化した傾斜板ユニット、または複数の傾斜管を配設してユニット化した傾斜管ユニットである沈降促進手段を仮設で設置し、
次いで、上記整備工事対象の沈殿池への通水を上記沈降促進手段が設置された非整備工事対象の沈殿池に切り替えるとともに、上記整備工事対象の沈殿池内から処理水を排水して、この整備工事対象の沈殿池の整備工事を行い、
上記整備工事対象となる沈殿池の整備工事を終了した後に、上記非整備工事対象の沈殿池から上記沈降促進手段を取り出し、
整備工事を終了した沈殿池を新たな上記非整備工事対象の沈殿池として、この新たな上記非整備工事対象の沈殿池に該沈降促進手段を仮設で設置し、
次いで、非整備工事対象であった沈殿池を新たな上記整備工事対象の沈殿池として、この新たな上記整備工事対象の沈殿池の整備工事を行うことを特徴とする沈殿池設備の整備工事方法。
【請求項２】
３つ以上の沈殿池を有する沈殿池設備において、少なくとも一部の上記沈殿池の整備工事を行う沈殿池設備の整備工事方法であって、
これら３つ以上の沈殿池のうち一部の整備工事対象の沈殿池の他の残りの複数の非整備工事対象の沈殿池のうち一部の沈殿池に、複数の傾斜板を間隔をあけて配設してユニット化した傾斜板ユニット、または複数の傾斜管を配設してユニット化した傾斜管ユニットである沈降促進手段を仮設で設置し、
次いで、上記整備工事対象の沈殿池への通水を上記沈降促進手段が設置された非整備工事対象の沈殿池に切り替えるとともに、上記整備工事対象の沈殿池内から処理水を排水して、この整備工事対象の沈殿池の整備工事を行い、
上記整備工事対象となる沈殿池の整備工事を終了した後に、上記複数の非整備工事対象の沈殿池のうち一部の沈殿池から上記沈降促進手段を取り出して、上記複数の非整備工事対象の沈殿池のうち残りの沈殿池に仮設で設置し、
この整備工事を終了した沈殿池と、上記沈降促進手段が設置された沈殿池を新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うことを特徴とする沈殿池設備の整備工事方法。
【請求項３】
上記複数の傾斜板または上記複数の傾斜管を、上記非整備工事対象の沈殿池の外で組み立ててユニット化した後に、上記非整備工事対象の沈殿池に設置することを特徴とする請求項１または請求項２に記載の沈殿池設備の整備工事方法。
【手続補正２】
【補正対象書類名】明細書
【補正対象項目名】０００７
【補正方法】変更
【補正の内容】
【０００７】
上記課題を解決して、このような目的を達成するために、本発明は、第１に、複数の沈殿池を有する沈殿池設備において、少なくとも一部の上記沈殿池の整備工事を行う沈殿池設備の整備工事方法であって、上記複数の沈殿池のうち一部の整備工事対象の沈殿池の他の残りの少なくとも一部の非整備工事対象の沈殿池に、複数の傾斜板を間隔をあけて配設してユニット化した傾斜板ユニット、または複数の傾斜管を配設してユニット化した傾斜管ユニットである沈降促進手段を仮設で設置し、次いで、上記整備工事対象の沈殿池への通水を上記非整備工事対象の沈殿池に切り替えるとともに、上記整備工事対象の沈殿池内から処理水を排水して、この整備工事対象の沈殿池の整備工事を行い、上記整備工事対象となる沈殿池の整備工事を終了した後に、上記非整備工事対象の沈殿池から上記沈降促進手段を取り出し、整備工事を終了した沈殿池を新たな上記非整備工事対象の沈殿池として、この新たな上記非整備工事対象の沈殿池に該沈降促進手段を仮設で設置し、次いで、非整備工事対象であった沈殿池を新たな上記整備工事対象の沈殿池として、この新たな上記整備工事対象の沈殿池の整備工事を行うことを特徴とする。
また、本発明は、第２に、３つ以上の沈殿池を有する沈殿池設備において、少なくとも一部の上記沈殿池の整備工事を行う沈殿池設備の整備工事方法であって、これら３つ以上の沈殿池のうち一部の整備工事対象の沈殿池の他の残りの複数の非整備工事対象の沈殿池のうち一部の沈殿池に、複数の傾斜板を間隔をあけて配設してユニット化した傾斜板ユニット、または複数の傾斜管を配設してユニット化した傾斜管ユニットである沈降促進手段を仮設で設置し、次いで、上記整備工事対象の沈殿池への通水を上記沈降促進手段が設置された非整備工事対象の沈殿池に切り替えるとともに、上記整備工事対象の沈殿池内から処理水を排水して、この整備工事対象の沈殿池の整備工事を行い、上記整備工事対象となる沈殿池の整備工事を終了した後に、上記複数の非整備工事対象の沈殿池のうち一部の沈殿池から上記沈降促進手段を取り出して、上記複数の非整備工事対象の沈殿池のうち残りの沈殿池に仮設で設置し、この整備工事を終了した沈殿池と、上記沈降促進手段が設置された沈殿池を新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うことを特徴とする。
【手続補正３】
【補正対象書類名】明細書
【補正対象項目名】００１０
【補正方法】変更
【補正の内容】
【００１０】
また、本発明では、第１に、上述のような複数の沈殿池を有する沈殿池設備において、上記整備工事対象となる沈殿池の整備工事を終了した後に、上記非整備工事対象の沈殿池から上記沈降促進手段を取り出し、整備工事を終了した沈殿池を新たな上記非整備工事対象の沈殿池として、この新たな上記非整備工事対象の沈殿池に該沈降促進手段を仮設で設置し、次いで、非整備工事対象であった沈殿池を新たな整備工事対象の沈殿池として、この新たな整備工事対象の沈殿池への通水を上記新たな非整備工事対象の沈殿池に切り替えるとともに、上記新たな整備工事対象の沈殿池内から処理水を排水して、この新たな整備工事対象の沈殿池の整備工事を行うようにしている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
なお、本発明では、第２に、３つ以上の沈殿池を有する沈殿池設備において、これら３つ以上の沈殿池のうち一部の整備工事対象の沈殿池の他の残りの複数の非整備工事対象の沈殿池のうち一部の沈殿池に上記沈降促進手段を仮設で設置し、上記整備工事対象となる沈殿池の整備工事を終了した後に、上記複数の非整備工事対象の沈殿池のうち一部の沈殿池から上記沈降促進手段を取り出して、上記複数の非整備工事対象の沈殿池のうち残りの沈殿池に仮設で設置し、この整備工事を終了した沈殿池と、上記沈降促進手段が設置された沈殿池を新たな上記非整備工事対象の沈殿池とするとともに、上記複数の非整備工事対象の沈殿池のうち残りの沈殿池を新たな上記整備工事対象の沈殿池として、この新たな上記整備工事対象の沈殿池の整備工事を行うようにしてもよい。
【手続補正６】
【補正対象書類名】明細書
【補正対象項目名】００１４
【補正方法】変更
【補正の内容】
【００１４】
しかも、本発明では、上記沈降促進手段として、複数の傾斜板を間隔をあけて配設してユニット化した傾斜板ユニット、または複数の傾斜管を配設してユニット化した傾斜管ユニットを用いている。このような傾斜板ユニットまたは傾斜管ユニットでは、複数の傾斜板の間または傾斜管内に流入した処理水中の汚泥等が傾斜板または傾斜管に接触することによって沈降分離が促進されて緩やかに沈殿池の底に堆積させられるので、汚泥等の沈降の効率化を図ることが可能となる。
【手続補正７】
【補正対象書類名】明細書
【補正対象項目名】００１５
【補正方法】変更
【補正の内容】
【００１５】
なお、こうして沈降促進手段として傾斜板ユニットまたは傾斜管ユニットを用いる場合には、上記複数の傾斜板または上記複数の傾斜管を、上記非整備工事対象の沈殿池の外で組み立ててユニット化した後に、該非整備工事対象の沈殿池に仮設で設置することが望ましい。傾斜板ユニットまたは傾斜管ユニットを非整備工事対象の沈殿池内で組み立ててユニット化する場合には、組み立て作業が繁雑となったり、非整備工事対象の沈殿池内の処理水を一旦排水したりしなければならず、整備工事期間が長引いたり処理量の減少を招いたりするおそれがあるが、非整備工事対象の沈殿池の外で組み付けてユニット化したものを仮設で設置すれば、組み立てが容易で非整備工事対象の沈殿池の処理水を排水する必要もなくなり、一層効率的である。
【手続補正８】
【補正対象書類名】明細書
【補正対象項目名】００２６
【補正方法】削除
【補正の内容】